(57)【要約】      （修正有）【課題】取付けと取り外し保守に便利な街灯ソケットの固定装置を提供する。【解決手段】ソケットは取付台を備える。発光モジュール３０は台座３１を備え台座は発光源３２を備える。放熱モジュール２０は複数のヒートシンク２１を備え、当該ヒートシンクの側面に取付溝が凹設され、放熱モジュールは発光モジュールに繞設され、放熱を提供する。固定装置４０は少なくとも放熱モジュールに結合する第１、第２固定具４１，４２を含み、第１、第２固定具はそれぞれ取付溝に嵌着され、第１、第２固定具の端面はそれぞれ少なくとも一つの固定シート４１１，４２１を設けられ、固定シートを取付台に固着させる。これにより、放熱モジュールとソケットとが高速、簡単な固定組合せ機能を有し、将来の保守問題を解決でき、灯具はより良い施工性と実用性を有する。【選択図】図３
0003163415.tif 000002
【実用新案登録請求の範囲】
【請求項１】
ソケットと、発光モジュールと、放熱モジュールと、固定装置とを備えた街灯ソケットの固定装置であって、
前記ソケットは取付台を備え、
前記発光モジュールは台座を備え台座は発光源を備え、
前記放熱モジュールは複数のヒートシンクを備え、前記ヒートシンクの側面に取付溝が凹設され、前記放熱モジュールは前記発光モジュールに繞設され、放熱を提供し、
前記固定装置は少なくとも前記放熱モジュールと対向に結合される第１固定具と、第２固定具を含み、前記第１固定具、前記第２固定具はそれぞれ取付溝に嵌着され、前記第１固定具と、前記第２固定具の端面はそれぞれ少なくとも一つの固定シートを設けられ、前記固定シートを取付台に固着させることを特徴とする街灯ソケットの固定装置。
【請求項２】
前記発光源は発光ダイオードであることを特徴とする請求項１記載の街灯ソケットの固定装置。
【請求項３】
前記ソケットは収容空間を備え、前記収容空間に前記発光モジュールと、前記取付台を収容することを特徴とする請求項１記載の街灯ソケットの固定装置。
【請求項４】
前記ヒートシンクの側面はさらに囲い溝が凹設され、各前記囲い溝を対応して一つの輪状の囲い溝集合体を組合せられ、前記囲い溝は囲い輪によって囲まれ、前記囲い輪は耐熱部材からなることを特徴とする請求項１記載の街灯ソケットの固定装置。
【請求項５】
さらに蓋部材を備え、前記蓋部材の中央部に中空部を備え、前記蓋部材の端縁にフランジを備え、前記収容空間の先端部に前記フランジに対応して係合する凹面リングが設けられていることを特徴とする請求項１記載の街灯ソケットの固定装置。
【請求項６】
前記第１固定具と前記第２固定具はシート状固定具に貫通溝をそれぞれ設けられていることを特徴とする請求項１記載の街灯ソケットの固定装置。
【考案の詳細な説明】
【技術分野】
【０００１】
本考案は一種の街灯の固定装置に関し、特に一種の発光源のソケットと放熱モジュールとを組み合わせた、取付けと取り外し保守便利な街灯ソケットの固定装置に関する。
【背景技術】
【０００２】
発光ダイオード（Ｌｉｇｈｔ  Ｅｍｉｔｔｉｎｇ  Ｄｉｏｄｅｓ，  ＬＥＤ）は効率が高く、省電力、寿命が長く、冷発光、反応速度速いに加えて、光色の一様性が高い等、従来光源より優れている長所が多くあるため、今日の光電産業、照明産業発展の重点となり、かつ次第に従来の白熱光源の使用に代わる。
【考案の概要】
【考案が解決しようとする課題】
【０００３】
さらに、発光源の寿命、機能は放熱処置の良否にかかわっており、今日の照明器具応用の極めて重要な課題である。特に大ワットの発光ダイオード街灯に使用されている放熱モジュールの配置は非常に重要である。
さらに、発光ダイオード街灯を室外に取り付けられている以上、同じく取付け、取り外し、保守等種々の問題に直面される。
通常、従来の発光ダイオード街灯の放熱モジュールは発光ダイオードの周りに組付けられて集合体を構成し、放熱モジュールまたは発光ダイオードとソケットによって固定させた後に、ソケットとランプケーシングを組み立てる。
放熱モジュールは発光ダイオードを囲った複数のヒートシンクより構成されているため、放熱モジュール自体に適切な固定性を配慮することが必要である。さらに、放熱モジュールとソケットとの固定と組み合わせ方法は全体の固定構造の優劣が決定される。
しかし、従来の発光ダイオード街灯の放熱モジュールとソケットとの固定構造が複雑であり、室外、かつ大量な街灯を簡単、素早くの施工に向いていない。将来、必然的にコストまたは工業安全の問題を引き起こし、理想な設計ではない。
よって、公知技術の発光ダイオード街灯の組み立て、取り外しの技術欠点と課題を解決することは、業者が努力、克服の重要方向であった。
【０００４】
考案者は、公知技術の発光ダイオードの組み合わせ固定構造に関する欠点およびその構造設計が理想でない現実について、解決案の研究開発に取り掛かり、取付けと取り外しがより便利、高速ならびに実用性を備えた街灯ソケットの固定装置の開発を目指して、社会に貢献する共に業界の発展促進を図り、種々研究した結果、本考案を創作した。
【課題を解決するための手段】
【０００５】
本考案の目的は一種の街灯ソケットの固定装置を提供する。
放熱モジュール自体と、ソケットとの間の固定組み合わせする構成は、快速、簡単に組み合わせ固定機能を有するほか、取付けと将来の保守を便利に行うことができる。
【０００６】
本考案は前述目的を達成するために使用される技術手段はソケットと、発光モジュールと、放熱モジュールと、固定装置とを含む。
ソケットは取付台を備える。
発光モジュールは台座を備え台座は発光源を備える。
放熱モジュールは複数のヒートシンクを備え、当該ヒートシンクは互いに区切って間隔を置き組み合わされ、当該ヒートシンクの側面に取付溝が凹設され、放熱モジュールは発光モジュールに繞設され、放熱を提供する。
固定装置は少なくとも放熱モジュールに結合する第１、第２固定具を含み、第１、第２固定具はそれぞれ取付溝に嵌着され、第１、第２固定具の端面はそれぞれ少なくとも一つの固定シートを設けられ、固定シートを取付台に固着させる。
【０００７】
本考案の技術、特徴及び達成される効果のさらなる理解と認識を図るため、好ましい実施例と図式を合わせて、以下のとおり詳細説明する。
【図面の簡単な説明】
【０００８】
【図１】本考案の立体概略図である。
【図２】本考案の分解概略図である。
【図２Ａ】本発明の図２の局所断面の拡大概略図である。
【図３】本考案による放熱モジュールの固定組合せの概略図である。
【図４】本考案の見下ろし概略図である。
【図５】本考案の端面概略図である。
【考案を実施するための形態】
【０００９】
[実施例]
図１、２を参照する。本考案による街灯ソケットの固定装置はソケット装置１０と、放熱モジュール２０と、発光モジュール３０と、固定装置４０と、囲い輪５０とを備える。
【００１０】
そのうち、ソケット装置１０にソケット１１を備え、ソケット１１に収容空間１２を設けられ、収容空間１２に取付台１３Ａ、１４Ａと１３Ｂ、１４Ｂ（本実施例において、それぞれ両端に設けられている）を内設され、収容空間１２の先端部に凹面リング１５を設けられている。
【００１１】
放熱モジュール２０は複数のヒートシンク２１を備え、ヒートシンク２１を一つの個体に結集され（本実施例において、締結方式によって結合される）、ヒートシンク２１は互いに分離され、隙間を備えたリング状の組合せを形成する。
ヒートシンク２１側面の上・下に囲い溝２３と取付溝２２とを凹設する。
一実施例において、囲い溝２３は取付溝２２に比べて、縦方向の桁下を有し、囲い溝２３の上・下端は横方向に上部囲いシート２３１と下部囲いシート２３２とを凸設する。
これにより、ヒートシンク２１の囲い溝２３が対応して輪状の囲い溝集合体を形成し、ヒートシンク２１の取付溝２２もこれに合わせて、輪状の取付溝集合体を対応して形成する。
【００１２】
発光モジュール３０に台座３１を備え、台座３１に複数の発光源３２を設けられ（本実施例において、発光ダイオードを設ける）、放熱モジュール２０を発光モジュール３０に繞設して放熱を提供する。
【００１３】
固定装置４０は放熱モジュール２０と結合される第１固定具４１と第２固定具４２とを含み（本実施例において、第１固定具と第２固定具はシート状を形成する）、第１固定具４１の両端はそれぞれ固定シート４１１を凸設する。
一実施例において、固定シート片４１１は第１固定具４１をプレス加工によって、固定シート４１１の下部に凹み空間４１２を形成する。固定シート４１１はさらに取付穴４１３を設けられ、第１固定具４１に複数の貫通溝４１５を設けられている。
同じく、第２固定具４２の両端部は固定シート４２１をそれぞれ凸設され、固定シート４２１は第２固定具４２をプレス加工によって、固定シート４２１の下部に凹み空間４２２を形成し、固定シート４２１に取付穴４２３を設けられ、第２固定具４２に複数の貫通溝４２５を設けられている。
固定装置４０を組み合わせるとき、第１固定具４１と第２固定具４２を嵌合によって、放熱モジュール２０の取付溝２２に嵌設させ、第１固定具４１に備える２つの固定片４１１をソケット１１の取付台１４Ａ、１４Ｂに、該第２固定具４２に備える２つの固定シート４２１をソケット１１の取付台１３Ａ、１３Ｂにそれぞれ合わせた後に締め付け具４１４、４２４（たとえば、ボルト）によって締め付ける。
図４、５に示すように、このとき、第１固定具４１と第２固定具４２とを放熱モジュール２０に嵌着させ、複数のヒートシンク２１によって構成された放熱モジュール２０を全面的なに固定させる。
図３に示すように、固定装置４０によってソケット１１の収容空間１２に固定させる。
【００１４】
囲い輪５０は輪状体を形成し、耐熱性を有する。囲い輪５０を放熱モジュール２０の囲い溝２３に囲むことによって、図３に示すように放熱モジュール２０をさらに固定させる。
囲い溝２３の上・下端に上部囲いシート２３１と下部囲いシート２３２とを設けられているため、囲い輪５０に優れた囲い空間と環設の便利を有するほか、ヒートシンク２１によって、囲い輪５０を破損することなく、耐用性と寿命が向上される。
【００１５】
さらに、放熱モジュール２０とソケット１１とを組み合わせた後に、ソケット１１はさらに被せ装置６０を組み付けることができる。被せ装置６０は蓋部材６１を備え、蓋部材６１の中央場所に中空部６２を設けられ、空気の放熱と対流を提供する。蓋部材６１の端縁にフランジ６３を設けられ、フランジ６３はソケット１１の凹面リング１５に係合させ、蓋部材６１とソケット１１とを組み付ける（図５を参照する）。
【００１６】
本考案による街灯の固定装置を組み合わせるとき、放熱モジュールは第１固定具と第２固定具との嵌着によって囲い輪を囲み、適切な固定が得られる。
さらに、第１固定具と第２固定具を嵌着させた後にソケットに締結され、全体の組合せ作業に高速、簡単な組合せ固定機能を有する。
取付便利のニーズが解決されるほか、将来の保守に便利が提供され、発光源街灯の応用に極めて良い施工性と実用性を有する。
【００１７】
前述のとおり、本考案は実用新案の要件を満足しているため、法により出願する。以上に説明した本考案の実施例は、好ましい実施例であり、本考案に何らの制限を加わるものではない。
よって、本考案の実用新案登録請求範囲に掲げた形状、構造、特長および精神に基づいた変更と修飾は、なお本考案の範囲に含まれる。
【符号の説明】
【００１８】
１０    ソケット装置
１１    ソケット
１２    収容空間
１３Ａ、１４Ａ、１３Ｂ、１４Ｂ  取付台
１５    凹面リング
２０    放熱モジュール
２１    ヒートシンク
２２    取付溝
２３    囲い溝
２３１  上部囲いシート
２３２  下部囲いシート
３０    発光モジュール
３１    台座
３２    発光源
４０    固定装置
４１    第１固定具
４１１、４２１  固定シート
４１２  凹み空間
４１３  取付穴
４１４、４２  締め付け具
４１５  貫通溝
４２    第２固定具
４２２  凹み空間
４２３  取付穴
４２５  貫通溝
５０    囲い輪
６０    被せ装置
６１    蓋部材
６２    中空部
６３    フランジ
【図１】
0003163415.tif 000003
【図２】
0003163415.tif 000004
【図２Ａ】
0003163415.tif 000005
【図３】
0003163415.tif 000006
【図４】
0003163415.tif 000007
【図５】
0003163415.tif 000008